(57)【要約】【課題】屋根の寸法に合わせてかわらの重なりを調節した時に面戸部分もこれに合わせて調節できながら、通気性を確保して居住性が高く、耐久性に優れた家屋にする面戸かわら及び面戸付き棟かわらを提供する。【解決手段】  隣接するかわらの一端部同士が上下に重ね合わされて葺設される地かわらと棟かわらとの間に介在させる面戸かわらであって、該面戸かわらは、地かわらの起伏部に嵌合する凹部と、隣接する面戸かわらの端部同士が重ね合わされた状態で摺動可能な嵌合部を形成し、当該重ね合わされた部分で摺動させることにより、隣り合う面戸かわらの中心間距離を変更能に構成するとともに、上下に重なり合う部分に換気用通路を形成した。【選択図】図１
2005336755.tif 000002
【特許請求の範囲】
【請求項１】
隣接するかわらの一端部同士が上下に重ね合わされて葺設される地かわらと棟かわらとの間に介在させる面戸かわらであって、該面戸かわらは、地かわらの起伏部に嵌合する凹部と、隣接する面戸かわらの端部同士が重ね合わされた状態で摺動可能な嵌合部を形成し、当該重ね合わされた部分で摺動させることにより、隣り合う面戸かわらの中心間距離を変更能に構成するとともに、上下に重なり合う部分に換気用通路を形成したことを特徴とする面戸かわら。
【請求項２】
地かわらが、隣接するかわらの一端部同士が上下に重ね合わされ部分で地かわらの中心間距離を変更可能にしてなる地かわらである請求項１に記載の面戸かわら。
【請求項３】
隣接するかわらの一端部同士が上下に重ね合わされて葺設され、当該重ね合わされた部分を摺動させることにより、地かわらの中心間距離を変更可能にした地かわらに、隣接する端部同士が重ね合わされた状態で摺動可能な嵌合部を有する面戸部分を一体形成するととものに、上下に重なり合う部分の少なくとも一方に筋状溝からなる換気用通路を形成したことを特徴とする面戸付き棟かわら。
【発明の詳細な説明】
【技術分野】
【０００１】
本発明は屋根の棟近傍に葺設されるかわらに関するものである。
【背景技術】
【０００２】
一般に棟上された屋根に葺設される屋根かわらの場合、屋根の幅に合わせてかわらが敷かれてゆくが、屋根自体の製作誤差やかわらの寸法誤差により、屋根の幅が必ずしもかわらの整数倍になるとは限らない。
そこでかわらを葺設する場合、隣接して上下に重なり合う部分の重なり寸法を調節することにより、屋根の幅全体を通して屋根の幅がかわらの整数倍に収まったかのような外観にしている。
そして、屋根にかわらが葺設され、屋根の側面視で端部同士が“ハ”の字形に突き合わせ状になる棟部分では各かわらの上端部の近傍部分に矩形状の偏平な面戸熨斗かわら を複数段積み重ねたのち、面戸熨斗かわらの上面部間に亙って陸棟かわら を載置して固定する構造になっている。
【０００３】
ところで、隣接するかわらの重なり合う端部の重なり合う寸法を調節するようにしたものでは、この上端部分に載置される面戸熨斗かわら部分の突き合わせ端部の間隔も調節する必要があり、これに対処するために面戸熨斗かわらの端部に上下に嵌合する嵌合部を設け、この嵌合部で間隔を調節するようにしたものが提案されている。
【特許文献１】特開２０００−３２８７２２号公報
【発明の開示】
【発明が解決しようとする課題】
【０００４】
上記公報に記載された面戸熨斗かわらでは、面戸かわら部分と熨斗かわら部分とが一体に形成されており、室内から立ち昇った熱気や湿気が篭ってしまう。
その結果、木材の傷みが早く家屋の居住性と耐久性に問題が生じるという問題があった  。
本発明は上記問題点に鑑み提案されたもので、屋根の寸法に合わせてかわらの重なりを調節した時に面戸部分もこれに合わせて調節できながら、通気性を確保して居住性が高く、耐久性に優れた家屋にする面戸かわら及び面戸付き棟かわらを提供できるようにすることを目的とするものである。
【課題を解決するための手段】
【０００５】
上記目的を達成するために本発明に係る面戸かわらは、隣接するかわらの一端部同士が上下に重ね合わされて葺設される地かわらと棟かわらとの間に介在させる面戸かわらであって、該面戸かわらは、地かわらの起伏部に嵌合する凹部と、隣接する面戸かわらの端部同士が重ね合わされた状態で摺動可能な嵌合部を形成し、当該重ね合わされた部分で摺動させることにより、隣り合う面戸かわらの中心間距離を変更能に構成するとともに、上下に重なり合う部分に換気用通路を形成したことを主要な特徴とするものである。
【０００６】
また、本発明に係る面戸かわらでは、地かわらが、隣接するかわらの一端部同士が上下に重ね合わされ部分で地かわらの中心間距離を変更可能にしてなる地かわらであることも特徴とするものである。
【０００７】
本発明の面戸付き棟かわらは、隣接するかわらの一端部同士が上下に重ね合わされて葺設され、当該重ね合わされた部分を摺動させることにより、地かわらの中心間距離を変更可能にした地かわらに、隣接する端部同士が重ね合わされた状態で摺動可能な嵌合部を有する面戸部分を一体形成するととものに、上下に重なり合う部分の少なくとも一方に筋状溝からなる換気用通路を形成したことを特徴とするものである。
【発明の効果】
【０００８】
本発明によれば、地かわらの起伏部に嵌合する凹部と、隣接する面戸かわらの端部同士が重ね合わされた状態で摺動可能な嵌合部を形成し、当該重ね合わされた部分で摺動させて、隣り合う面戸の中心間距離を変更能することにより、屋根の幅にあわせてかわらを整数倍で葺設することができる。そして、屋根の棟部分の地かわらに載置される面戸かわらも地かわらに合わせて葺設することができる。
このとき、本発明の熨斗かわらの上下に重なり合う部分に換気用通路が形成されているので、屋根に立ち昇った家屋内の熱気や湿気は、この換気用通路を後方のニードルベッド通じて屋外に放出される。これにより、屋内は快適な環境に保たれるとともに、湿気による木材の傷みもなく耐久性も大幅に向上せることができる利点もある。
【発明を実施するための最良の形態】
【０００９】
以下、本発明を実施するための最良の形態を図面に基づいて説明する。
図１は面戸かわらの斜視図であって、図中符号１は面戸かわらを全体的に示す。
この面戸かわら１は、セメントでプレス成形された所謂“スレートかわら”であって、地かわらと略同寸法の幅に形成され、略四角形に形成された平板状部分２と左右の側方部分に重ねあわせ嵌合部（重ね合わされた部分）３を有し、平板状部分２の前端面部分に略垂直方向に折れ下がった面戸部分４が一体形成されている。
【００１０】
平板状部分２は上半部２ａと下半部２ｂとが段落ち状に形成されており、この段落ち面部分２ｃが熨斗かわら５の位置決め面となる。
上記面戸部分４の中央部には後述する地かわら６の一側部（図４上左方部）に形成された半円状の突条部分７が嵌合する半円状の切り込み８とその左右部分には地かわら６の円弧状部分９に当接する円弧状膨らみ部分１０とが形成されている。
【００１１】
そして、平板状部分２の左右の側方部分に形成される上記重ねあわせ嵌合部３の内、左側方の嵌合部３ａは下面側の肉厚を薄くして形成されており、右側の嵌合部は平板状部分２から前記左方の嵌合部３ｂの肉厚分下げるとともに、その上面部分に３本の溝１１を刻設して形成してある。
斯くして形成された嵌合部３は、隣接する面戸かわら１の嵌合部３ａ・３ｂ同士を上下に重ね合わせにして葺設すると、当該嵌合部３には図２に示すように３本の換気用通路１２が形成されることになる。
尚、図１中符号１６で示すものは面戸かわら１の上端縁に突出形成された雨水進入防止用の突辺である
【００１２】
上記のように形成された面戸かわら１を使用して屋根を葺く場合を次に説明する。
例えば図３に示す家屋１３の屋根１４にその幅Ｗに合わせてその幅方向への地かわら６の葺設枚数を決定する。
このとき、屋根１４の製作寸法が必ずしも地かわら６の整数倍とはならず、地かわら１枚の幅Ｗ１（図４参照）未満の差を生じる。  その理由としては屋根１４の製作誤差や寸法誤差等があげられる。
そこで、この差を吸収する場合、隣接する地かわら６の重なりあわされる端部６ａ・６ｂの重なり代を略均等に調節することにより、葺設される地かわら６の枚数が決定され、軒側から棟に向かって葺きあげられてゆく。
【００１３】
棟の近傍で最上段の地かわら６が葺設されるとこの地かわら６の上端部に上記面戸かわら１が載置される。
面戸かわら１の載置については、面戸部分４の中央部に形成された半円状の切り込み８を地かわらの一側部に形成された半円状の突条部分７に嵌合させた状態にすると、半円状の切り込み８の左右部分は地かわら６の円弧状部分９に当接した状態に位置決めされて載置される。
そして嵌合部３ａ・３ｂが重ね合わされた状態で面戸かわら１が葺設された後、その上方に熨斗かわら５が載置されて固定されると、屋根１４へのかわらの葺設が完了する。
【００１４】
斯くして屋根１４に葺設された面戸かわら１には、隣接する面戸かわら１の嵌合部３に図４に示すような換気用通路１２が形成されていることから、家屋１３から立ち昇る熱気や湿気がこの換気用通路１２を介して外部に放出される。
これにより屋内は快適な環境がたもたれるとともに、湿気の滞留がないことから、結露や腐りを防止できるので耐久性も向上させるころができる。
【００１５】
尚、図５に示すものは別の実施例を示すもので、面戸部分４に地かわら６を一体形成した他は上記実施例と同様である。
また、上記実施の形態では、換気用通路１２を嵌合部３に形成するようにしてあるが、この換気用通路１２は図１中に二点鎖線１５で示すように平面部分にくぼみを設けて換気用通路１２を形成することもできる。
【図面の簡単な説明】
【００１６】
【図１】本発明にかかる面戸かわらの斜視図である。
【図２】本発明にかかる面戸かわらを葺設した時の嵌合部の縦断正面図である。
【図３】本発明にかかる面戸かわらを葺設した家屋の斜視図である。
【図４】本発明にかかる面戸かわらを葺設した部分の一部を切り欠いた状態の斜視図である。
【図５】本発明かかる面戸かわらの別実施例を示す斜視図である。
【符号の説明】
【００１７】
１・・・面戸かわら
３・・・混合部
６・・・地かわら
７・・・起伏部
１２・・・換気用通路
１３・・・家屋
１４・・・屋根
【図１】
2005336755.tif 000003
【図２】
2005336755.tif 000004
【図３】
2005336755.tif 000005
【図４】
2005336755.tif 000006
【図５】
2005336755.tif 000007